(57)【要約】【課題】上半身を背上げしたベッドでの、枕の滑落防止に関するこれまでの技術は、種々の係止装置などを用いたものであり、滑落防止機能が複雑化あるいは固定化されて枕の多機能性を妨げるものであった。【解決手段】上半身部分を背上げ可能なベッドに使用される空気枕に、その最大辺に相当する一辺にシート状の滑落防止部を備え、空気枕本体とシート状の滑落防止部との自重と摩擦のバランスを釣り合わせることにより、空気枕のベッド背上げ面からの滑落防止が可能となる。他の係止装置は不要で、軽量化された空気枕の多機能性も兼備される。【選択図】図４
2013119033.tif 000002
【特許請求の範囲】
【請求項１】
上半身部分を背上げ可能なベッドに使用される空気枕であって、
給排気口と空気栓を有し、略直方体の外形をした空気枕本体と、
前記空気枕本体の最大辺に相当する一辺に付着し、前記空気枕本体と略同じ重量に構成され、ベッドの最上端辺を跨いで前記ベッドの上側側面に垂らして配置される、可撓性の略長方形シート状の滑落防止部と、
を備えることを特徴とする、空気枕。
【請求項２】
前記空気枕本体の断面形状が、長方形以外の多角形または曲線を含む辺や、その形状を維持する隔壁線を有していることを特徴とする、請求項１に記載の空気枕。
【請求項３】
前記空気枕本体の最大辺が、ベッドの横幅に相当する長さを有していることを特徴とする、請求項１又は２に記載の空気枕。
【請求項４】
前記滑落防止部が、長方形以外の多角形、または曲線を含む辺を有するシート形状から成ることを特徴とする、請求項１から３のいずれか１つに記載の空気枕。
【請求項５】
上半身部分を背上げ可能なベッドに使用される空気枕に用いられる枕カバーであって、
略直方体の形状をした前記空気枕本体を収納する枕収納部と、
前記空気枕本体を収納した状態で、前記空気枕本体の最大辺に相当する前記枕収納部の一辺上に付着し、前記空気枕本体と前記枕収納部との合計重量と略同じ重量を有し、ベッドの最上端辺を跨いで前記ベッドの上側側面に垂らして配置される、可撓性の略長方形シート状の滑落防止部と、
を備えることを特徴とする、枕カバー。
【請求項６】
前記空気枕本体の断面形状が、長方形以外の多角形または曲線を含む辺や、その形状を維持する隔壁線を有していることを特徴とする、請求項５に記載の枕カバー。
【請求項７】
前記空気枕本体の最大辺が、ベッドの横幅に相当する長さを有していることを特徴とする、請求項５又は６に記載の枕カバー。
【請求項８】
前記滑落防止部が、長方形以外の多角形、または曲線を含む辺を有するシート形状から成ることを特徴とする、請求項５から７のいずれか１つに記載の枕カバー。
【請求項９】
上半身部分を背上げ可能なベッドに使用される空気枕の最大辺上にシート状の滑落防止部を有する空気枕の滑落防止方法であって、
前記空気枕本体と略同じ重量を有する前記シート状の滑落防止部を、ベッドの最上端辺を跨いで前記空気枕本体と逆方向に垂らして前記ベッドの上側側面に接触させ、空気枕本体とシート状の滑落防止部との自重と摩擦のバランスを釣り合わせることにより、空気枕が前記ベッドの背上げ面から滑落することを防止する方法。
【発明の詳細な説明】
【技術分野】
【０００１】  本発明は、医療分野、介護福祉分野、健康分野、日常生活分野で、上半身部分を背上げ傾動できるベッドに好適に使用される空気枕及び枕カバーに関する。
【背景技術】
【０００２】  従来の上半身を背上げしたベッドにおける枕の滑落防止に関する技術は、特許文献１〜８などに多くのものが開示されている。例えば、特許文献１及び２には座席の背面に枕を係止する構造の枕が開示されている。特許文献３には、ベッドの背当て面にピンを設け、当該ピンと枕とを接続することによって滑落を防止する枕が開示されている。特許文献４，５は、ベッドに用いられるマットに紐などを用いて固定可能な枕が開示されている。さらに、特許文献６，７には、ベッドの枠体に固定部を設け、当該固定部と枕とを接続することによって枕の滑落を防止するものが開示されている。また、特許文献８には、帯シートを布団裏とベッド台の間に敷き込んで、滑落防止する枕が開示されている。
【先行技術文献】
【特許文献】
【０００３】
【特許文献１】  実開昭５０−１３０４１２公報
【特許文献２】  実開昭４９−２７５１５公報
【特許文献３】  実開平６−１３６４２公報
【特許文献４】  実用新案登録第３０９３８７６号公報
【特許文献５】  実用新案登録第３０８４７６１号公報
【特許文献６】  実開平７−１３２６５公報
【特許文献７】  特開２００５−２８７５４５公報
【特許文献８】  特開２００３−１１６６９６公報
【発明の概要】
【発明が解決しようとする課題】
【０００４】  しかし、実際の入院患者などの臨床現場では、枕はベッド背上げ時のみならず、臨機応変に多機能的に用いられるものであり、就寝時にベッドを平坦化した時は、体格に合わせて枕の位置移動も必要であったり、体位変換する時や、下肢挙上する時には、同型の枕を位置を変えて兼用または応用することなども頻繁にありうる。よって、滑落防止機能が、過度に複雑化あるいは固定化されることで、枕の多機能性を妨げることは好ましくない。【０００５】  例えば、特許文献１、２に記載の枕は、座席用空気枕であり、滑落防止は比較的確実であるが、枕の多機能性は少なく、ベッド上での使用は困難である。【０００６】  特許文献３においては、空気枕の滑落防止のために背当て面に設けられたピンが邪魔であり、さらに、ピンと枕とが連結されているので、枕の移動などが困難である。【０００７】  特許文献４、５、６、７においては、背上げ用ベッドでの枕滑落防止は比較的確実であるが、紐、面ファスナー、係止部品などを余分に必要とし、枕の脱着が煩雑であるという問題がある。また、面ファスナーなどに、埃などが付着し、衛生的にも好ましくないという問題もある。【０００８】  さらに、特許文献８には、帯シートをマットの上側を通してマットの裏側に回し込み、マットとベッド台の間に敷き込んで、滑落防止した枕が開示されている。しかし、滑落防止のための帯シートが大型化し、また、滑落防止のためにマット自体を持ち上げる必要があり、患者が寝たままで枕を配置しにくいという問題がある。また、帯シートが大きいため多機能的な用途に乏しい。【０００９】  こうした問題点を解決することが本発明の課題であり、日常生活または入院・療養の場において、上半身を背上げ傾動できるベッドを使用するときに、背上げ面から滑落しにくく、同時に簡単に脱着することができ、ベッドを平坦化した時の用途に応じた枕位置移動や、体位変換用や下肢挙上用としても、臨機応変に多機能的に使用できる、空気枕および枕カバーを提供することである。
【課題を解決するための手段】
【００１０】  本発明は、上半身部分を背上げ可能なベッドに使用される空気枕であって、給排気口と空気栓を有し、略直方体の外形をした空気枕本体と、前記空気枕本体の最大辺に相当する一辺に付着し、前記空気枕本体と略同じ重量に構成され、ベッドの最上端辺を跨いで前記ベッドの上側側面に垂らして配置される可撓性の略長方形シート状の滑落防止部とを備えることを特徴とするものである。【００１１】  又、本発明は、前記空気枕本体の断面形状が、長方形以外の多角形または曲線を含む辺や、その形状を維持する隔壁線を有していることを特徴とするものである。【００１２】  又、本発明は、前記空気枕本体の最大辺が、ベッドの横幅に相当する長さを有していることを特徴とするものである。【００１３】  又、本発明は、前記滑落防止部が、長方形以外の多角形、または曲線を含む辺を有するシート形状から成ることを特徴とするものである。【００１４】  又、本発明は、上半身部分を背上げ可能なベッドに使用される空気枕に用いられる枕カバーであって、略直方体の形状をした空気枕本体を収納する枕収納部と、前記空気枕本体を収納した状態で、前記空気枕本体の最大辺に相当する前記枕収納部の一辺上に付着し、前記空気枕本体と前記枕収納部との合計重量と略同じ重量を有し、ベッドの最上端辺を跨いで前記ベッドの上側側面に垂らして配置される可撓性の略長方形シート状の滑落防止部とを備えることを特徴とするものである。【００１５】  又、本発明は、前記枕カバーが、前記空気枕本体の断面形状が、長方形以外の多角形または曲線を含む辺や、その形状を維持する隔壁線を有した空気枕本体を、収納することを特徴とするものである。【００１６】  又、本発明は、前記枕カバーが、前記空気枕本体の最大辺が、ベッドの横幅に相当する長さを有した空気枕本体を、収納することを特徴とするものである。【００１７】  又、本発明は、前記枕カバーの滑落防止部が、長方形以外の多角形、または曲線を含む辺を有するシート形状から成ることを特徴とするものである。【００１８】  さらに、本発明は、上半身部分を背上げ可能なベッドに使用される空気枕の最大辺上にシート状の滑落防止部を有する空気枕の滑落防止方法であって、前記空気枕本体と略同じ重量を有する前記滑落防止部を、ベッドの最上端辺を跨いで前記空気枕本体と逆方向に垂らして前記ベッドの上側側面に接触させ、空気枕本体とシート状の滑落防止部との自重と摩擦のバランスを釣り合わせることにより、空気枕が前記ベッドの背上げ面から滑落することを防止することを特徴とするものである。
【発明の効果】
【００１９】  請求項１により得られる効果を説明する。空気枕においては、充填物である空気は、大気中では重量ゼロであり、枕全体の重量は被包材料の重量のみに軽量化することができる。その、略直方体の形状をした空気枕本体の最大辺に相当する一辺に付着し、前記空気枕本体と略同じ重量から成り、背上げされたベッドの最上端辺を跨いで前記ベッドの上側側面に垂らして配置されるシート状の滑落防止部を備えることによって、空気枕本体と、シート状の滑落防止部との自重と摩擦のバランスによって、一定の背上げ角度まで、枕の滑落を防止することができる。これにより、従来からの種々の重量を有する枕でみられた、ベッドの背上げ傾動時での枕滑落による、肩や背中へ枕が重みをもって、のしかかるような不快感を、防止する効果が得られる。【００２０】  また、この請求項１の空気枕は、シート状の滑落防止部以外の係止用付属品はないため、その位置移動は容易であり、軽量化された空気枕の利点を最大限に生かして、頭頚部用だけでなく、体位変換用、下肢挙上用などにも、臨機応変に多機能的に用いることができる。【００２１】  さらに、この請求項１の空気枕本体の給排気口を通じての給排気により空気圧を調節し、空気栓で止めることによって、用途に応じた枕の反発性、固さなどを調節可能である。そしてまた、枕を使用しないときには、排気することで、空気枕本体の体積は小さくなり、枕の保管場所の容積を最小限化することが可能である。【００２２】  請求項２により得られる効果を説明する。空気枕本体とシート状滑落防止部との重量バランスを保った範囲内で、空気枕本体の断面形状を、長方形以外の多角形または曲線を含む辺や、形状維持のための隔壁線を含む構成とすることによって、頭頚部の載置の安定性や、体位変換や下肢挙上用としての多様な機能に対応した空気枕形状の作成が可能となる。【００２３】  請求項３により得られる効果を説明する。空気枕の最大辺が、ベッドの横幅に相当する長さを有することによって、ベッドの横幅全体にわたる寝返り時や体動時においても、頭頚部の空気枕への載置部位が確保され、安定したベッド上の療養生活が得られる。【００２４】  請求項４により得られる効果を説明する。空気枕本体との重量バランスを保った範囲内で、シート状の滑落防止部を、長方形以外の多角形、または曲線を含む辺を有した形状とすることによって、使用者の用途や趣向に対応することができる。【００２５】  請求項５により得られる効果を説明する。空気枕本体を収納する枕収納部と、前記空気枕本体を収納した状態で前記空気枕本体の最大辺に相当する枕収納部の一辺上に付着し、前記空気枕本体と前記枕収納部との合計重量と略同じ重量を有し、ベッドの最上端辺を跨いで前記ベッドの上側側面に垂らして配置されるシート状の滑落防止部とを備える枕カバーを用いることによって、空気枕本体の滑落防止とともに、空気枕本体の汚れ防止、耐久性向上が得られる。また、カバー素材を選択することによって、使用者の体感の向上などが期待される。さらに、枕収納部に付着するシート状の滑落防止部の、素材の重量を調節することによりシート部の面積を用途に合わせて増減したり、素材の摩擦係数をやや大きくすることによって、枕���落に至るベッドの背上げ角度の拡大が可能である。【００２６】  請求項６、７、８により得られる効果は、請求項２，３，４により得られる効果と同様であるが、頭頚部の載置の安定性や、体位変換や下肢挙上用としての多様な機能に対応可能となり、使用者の用途や趣向にも対応することができる。【００２７】  請求項９により得られる効果を説明する。上半身部分を背上げ可能なベッドに使用される空気枕において、空気枕本体の最大辺上に付着し、前記空気枕本体と略同じ重量を有するシート状の滑落防止部を、ベッドの最上端辺を跨いで前記空気枕本体と逆方向に垂らして前記ベッドの上側側面に接触させ、空気枕本体とシートとの自重と摩擦のバランスを釣り合わせる方法により、空気枕が前記ベッドの背上げ面から滑落することを防止できる。【００２８】  また、請求項９により得られる効果を追加説明する。この枕滑落防止方法では、空気枕本体とシート状の滑落防止部との自重と摩擦のバランスを応用していることが特徴であり、それ以外の付属係止品などが不要なことが長所である。それによって、軽量な空気枕の利点を最大限に生かすことができ、取り扱い上の労力も軽便化され、ベッドの背上げ状態で有用であるばかりでなく、ベッドを平坦化したときでの枕位置移動や、体位変換時や下肢挙上時などの用途に応じた空気枕としても、臨機応変に多機能的に用いることができる。
【図面の簡単な説明】
【００２９】
【図１】請求項１の空気枕の外観図
【図２】請求項１の空気枕の断面図
【図３】請求項１の空気枕を背上げ可能ベッドに置いた外観図
【図４】請求項１の空気枕を背上げ可能ベッドにおいた拡大外観図
【図５】請求項１の空気枕に作用する力を示す断面模式図
【図６】請求項１の空気枕を、ベッド上での食事摂取時に使用する外観図
【図７】請求項２の空気枕の断面図
【図８】請求項２の空気枕の外観図
【図９】請求項３の空気枕をベッド平坦時、患者側臥位で使用する外観図
【図１０】請求項４の空気枕を背上げ可能ベッド上で使用する外観図
【図１１】請求項５の枕カバーに空気枕本体を収納した断面図
【図１２】請求項５の枕カバーおよび空気枕に作用する力を示す断面模式図
【発明を実施するための形態】
【００３０】  以下、本発明の実施の形態を図１〜図１２に基づいて説明する。
【００３１】  請求項１の空気枕Ｐの外観を図１に示す。略直方体の形状をした空気枕本体Ｐ１と、前記空気枕本体の最大辺Ｐ２に相当する一辺に付着する、シート状の滑落防止部Ｐ３とからなる。給排気口Ｐ１Ａを通じて、空気を充填または排出を行い、空気栓Ｐ１Ｐで止める。図２にその断面図を示すように、空気枕本体Ｐ１は空気が充填されいるが、その重量は被包材料のみの重量となっている。このため、軽量化が可能である。シート状の滑落防止部Ｐ３は、空気枕本体Ｐ１と略同じ重量で構成されているが、重量の調整にはシート内に充填材を充填させることもできる。また、シート状の滑落防止部Ｐ３は、可撓性に構成されており、自重によって下垂可能である。
【００３２】  図３は、請求項１の空気枕本体Ｐ１をベッド背上げ面Ｂ１の上端部に置いた外観図で、図４はその拡大図である。シート状の滑落防止部Ｐ３をベッドの最上端辺Ｂ２を跨いでベッドの上側側面Ｂ３に垂らし、空気枕本体Ｐ１と、シート状の滑落防止部Ｐ３との自重と摩擦のバランスで、空気枕位置が確保された状態を示している。
【００３３】  この状態での、空気枕に作用する力を模式断面として図５に示す。背上げ角度θとし、空気枕本体の重量Ｇ、空気枕本体が滑落しようとする力Ｆ、空気枕本体とベッド面の摩擦力Ｒ、シート状の滑落防止部の重量ｇ、シート状の滑落防止部とベッド面との摩擦力ｒ、シート状の滑落防止部の阻止力ｆとして、図示した。空気枕本体またはシート状の滑落防止部と、ベッド面との摩擦係数はｍとした。ここで、Ｆ、ｆは、下記等式に示される。
Ｆ＝Ｇ・ｓｉｎθ−Ｒ＝Ｇ・ｓｉｎθ−ｍ・Ｇ・ｃｏｓθ＝Ｇ・（ｓｉｎθ−ｍ・ｃｏｓθ）
ｆ＝ｇ・ｃｏｓθ＋ｒ＝ｇ・ｃｏｓθ＋ｍ・ｇ・ｓｉｎθ＝ｇ・（ｃｏｓθ＋ｍ・ｓｉｎθ）
枕が滑落するのはＦ＞ｆであるから、滑落する背上げ角度θは、
Ｇ・（ｓｉｎθ−ｍ・ｃｏｓθ）＞ｇ・（ｃｏｓθ＋ｍ・ｓｉｎθ）
ここで、空気枕本体とシート状の滑落防止部の重量バランスをとるため、Ｇ＝ｇとすると、
ｓｉｎθ−ｍ・ｃｏｓθ＞ｃｏｓθ＋ｍ・ｓｉｎθ
∴  ｓｉｎθ／ｃｏｓθ＞（１＋ｍ）／（１−ｍ）
∴  ｔａｎθ＞（１＋ｍ）／（１−ｍ）・・・・・・・（Ａ）
摩擦係数ｍ＝０．４すると、（Ａ）の不等式より、
ｔａｎθ＞（１＋０．４）／（１−０．４）
∴  ｔａｎθ＞２．３
∴  θ＞６６．５
すなわち、この条件で、背上げ角度が約６６度までは、空気枕本体Ｐ１とシート状の滑落防止部Ｐ３との自重と摩擦のバランスによって、空気枕の背上げ面での滑落は防止されることになる。
【００３４】  図６は、入院患者が背上げベッド上で食事をする座位状態の外観図であるが、この例のような座位での背上げ角度においては、空気枕本体Ｐ１の位置は安定して確保され、枕の重みをもって、肩や背中に、のしかかるようなことはない。
【００３５】  また、空気枕本体Ｐ１の形状については、空気枕本体とシート状滑落防止部との重量バランスを保った範囲内で、図７に示すように、その断面を、長方形以外の多角形または曲線を含む辺や、その形状を維持する隔壁線Ｐ１Ｓにより構成することで、頭頚部の載置の安定性や、その他の枕機能を考慮して、多様な形状も作成可能である。図８は、背上げ可能ベッド上に、請求項２の空気枕を置いた外観図である。
【００３６】  図９は、請求項３の空気枕を、平坦なベッド上での側臥位患者で、使用するときの外観図である。空気枕本体Ｐ１の最大辺が、ベッドの横幅と同等とすることによって、ベッドの横幅全体にわたる寝返り時や体動時においても、頭頚部の空気枕への載置部位が確保される。また、体位変換用や、下肢挙上用などとしても、軽量で多様な空気枕機能を生かすことができる。
【００３７】  図１０は、請求項４の空気枕を、背上げベッド上に置いた外観図である。辺縁に曲線を含む形状のシート状の滑落防止部Ｐ３Ｗを備えた例である。空気枕本体Ｐ１との自重と摩擦のバランスの範囲内で、シート状の滑落防止部の形状は、使用者の用途や趣向に応じて修飾作成可能である。
【００３８】  図１１は、請求項５の枕カバーＰＣに空気枕本体Ｐ１を収納した断面図である。枕収納部ＰＣ１と、その最大辺ＰＣ２に相当する一辺上に付着するシート状の滑落防止部ＰＣ３とからなる。空気枕本体Ｐ１と枕収納部ＰＣ１との合計重量と、シート状の滑落防止部ＰＣ３との重量とを、略同じとする。枕カバーＰＣによって、空気枕本体Ｐ１の汚れ防止、耐久性向上が得られ、またカバーの素材の選択によって、使用者の体感の向上などが期待される。
【００３９】  図１２に、枕カバーに収納した空気枕本体を、背上げ角度θのベッドで用いたときに作用する力を断面模式図で示した。空気枕本体Ｐ１と枕収納部ＰＣ１との合計重量をＧ’、シート状の滑落防止部ＰＣ３の重量をｇ’、枕収納部とベッド面の摩擦力をＲ’、シート状の滑落防止部とベッド面との摩擦力をｒ’、枕収納部またはシート状の滑落防止部とベッド面との摩擦係数をｍとする。ここで、空気枕が滑落しようとする力をＦ、シート状の滑落防止部が阻止しようとする力をｆとすると、
Ｆ＝Ｇ’・ｓｉｎθ−Ｒ’＝Ｇ’・（ｓｉｎθ−ｍ・ｃｏｓθ）
ｆ＝ｇ’ｃｏｓθ＋ｒ’＝ｇ’・（ｃｏｓθ＋ｍ・ｓｉｎθ）
Ｆ＞ｆで枕が滑落するとすれば、下記不等式となる。
Ｇ’・（ｓｉｎθ−ｍ・ｃｏｓθ）＞ｇ’・（ｃｏｓθ＋ｍ・ｓｉｎθ）
この不等式において、Ｇ’とｇ’は自重バランスを釣り合わせるため、Ｇ’＝ｇ’とすると、
ｓｉｎθ−ｍ・ｃｏｓθ＞ｃｏｓθ＋ｍ・ｓｉｎθ
∴  ｓｉｎθ／ｃｏｓθ＞（１＋ｍ）／（１−ｍ）
このように、図５で述べたと同様に、下記の（Ａ）の不等式が導かれる。
∴  ｔａｎθ＞（１＋ｍ）／（１−ｍ）・・・・・・・（Ａ）
ここで、枕カバーＰＣの枕収納部ＰＣ１およびシート状の滑落防止部ＰＣ３に、摩擦係数ｍのやや高い素材を用いることとして、ｍ＝０．５とすると、上記（Ａ）の不等式より、
ｔａｎθ＞（１＋０．５）／（１−０．５）
∴  ｔａｎθ＞３．０
∴  θ＞７１．６度
また、ｍ＝０．６とすると、上記（Ａ）の不等式より、θ＞７５．９度となり、
ｍ＝０．７とすると、上記（Ａ）の不等式より、θ＞７９．９度となり、
更に、ｍ＝０．８とすると、上記（Ａ）の不等式より、θ＞８３．６度となる。
すなわち、枕滑落に至る背上げ角度が向上する。このことは、枕カバーの素材の摩擦係数を考慮することによって、枕滑落防止効果を向上させることが可能であり、言い換えれば、ベッドの背上げを７０度以上の直角に近付ける角度にしても、空気枕の滑落防止効果を確保できる可能性を示す。
【産業上の利用可能姓】
【００４０】  以上のように、本発明は、医療産業、介護福祉産業、健康産業、日常生活産業などで、背上げベッドでも滑落しにくい軽量で多機能的な空気枕、およびそれに使用される枕カバーとして、広く利用される可能性が考えられる。
【符号の説明】
【００４１】  Ｐ      空気枕
Ｐ１    空気枕本体
Ｐ１Ａ  給排気口
Ｐ１Ｐ  空気栓
Ｐ１Ｓ  隔壁線
Ｐ２    最大辺
Ｐ３    シート状の滑落防止部
Ｐ３Ｗ  辺縁に曲線を含む形状のシート状の滑落防止部
ＰＣ    枕カバー
ＰＣ１  枕収納部
ＰＣ２  最大辺
ＰＣ３  シート状の滑落防止部
Ｂ      ベッド
Ｂ１    ベッド背上げ面
Ｂ２    ベッドの最上端辺
Ｂ３    ベッドの上側側面
Ｆ      空気枕本体が滑落しようとする力
ｆ      シート状の滑落防止部の阻止力
Ｇ      空気枕本体の重量
Ｇ’    空気枕本体と枕収納部との合計重量
ｇ      シート状の滑落防止部の重量
ｇ’    枕カバーに付着するシート状の滑落防止部の重量
Ｒ      空気枕本体とベッド面との摩擦力
Ｒ’    枕収納部とベッド面との摩擦力
ｒ      シート状の滑落防止部とベッド面との摩擦力
ｒ’    枕カバーに付着するシート状の滑落防止部とベッド面との摩擦力
ｍ      摩擦係数
θ      背上げ角度
【図１】
2013119033.tif 000003
【図２】
2013119033.tif 000004
【図３】
2013119033.tif 000005
【図４】
2013119033.tif 000006
【図５】
2013119033.tif 000007
【図６】
2013119033.tif 000008
【図７】
2013119033.tif 000009
【図８】
2013119033.tif 000010
【図９】
2013119033.tif 000011
【図１０】
2013119033.tif 000012
【図１１】
2013119033.tif 000013
【図１２】
2013119033.tif 000014